(57)【要約】【課題】  室内床で使用される、汚れやすいスリッパ底部に、使い捨て不織布清掃用ドライシートを、着脱自在に装着することによって、スリッパ本体の外観やデザインを損なうことなくスリッパ底部の汚れを軽減し、なおかつ床面の清掃も可能とする。【解決手段】  従来のスリッパ底部に設けられていた底板部材の代わりに、第１部材１を使用し、該第１部材１に第２部材２を重ね合わせ、その外周において爪先部分と踵部分を含む複数箇所で結合することで、差し入れ口（図１、４ａ、４ｂ、４ｃ）がスリッパ底部外周において作られ、その差し入れ口に、スリッパ底部より大きく形成され、結合箇所を避けるように切り込みを入れた使い捨て不織布清掃ドライシートの周縁部分を差し込み挟持させることで、使い捨て不織布清掃ドライシートをスリッパ底部に保持させる。【選択図】図１
2018122068.tif 000002
【特許請求の範囲】
【請求項１】
スリッパ底部に設けられる、摩擦力の強い素材による、スリッパ底部に同一形状の第１部材と、摩擦力の強い素材によるスリッパ底部の外周から５．５ｍｍ〜６．５ｍｍ内側に切り取って縮小させた第２部材とを、第２部材の外周において、爪先部分と踵部分を必須とし、スリッパの形状を考慮しながら数箇所程度結合し、第１部材と第２部材の間を押し広げ、結合箇所を避けるように切り込みを入れた、スリッパ底部より大きく形成された不織布清掃シートの周縁部分を、該第１部材と第２部材との間に差し入れ挟持させて、前記不織布清掃ドライシートをスリッパ底部に保持させ、該シートが着脱自在であることを特徴とするスリッパ。
【発明の詳細な説明】
【技術分野】
【０００１】  本発明は、スリッパの底部に、使い捨て不織布清掃ドライシートを装着することで、汚れやすい該底部の汚れを軽減し、さらに床面の清掃を行うスリッパに関するものである。
【背景技術】
【０００２】  従来の室内で着用されるスリッパは、甲・中敷き・ヒール・底等の部品を縫製・貼り付け等の手段によって製造されたもので、直接室内床に接する底部素材にはビニール、布、フェルト等が使用される。【０００３】  床の汚れを取る掃除スリッパとしては、スリッパ底部にモップ状素材を使用した物が知られ、スリッパカバーとしてはモップ素材や不織布素材でスリッパを包んで装着し、スリッパの汚れを軽減しながら床の汚れを取る方法が知られている。【０００４】  しかし、室内床面に直接接するスリッパの底部の素材が何であるかに関わらず、床の埃や髪の毛ですぐスリッパ底部が汚れてしまうという欠点があった。【０００５】  また掃除スリッパは汚れる度に洗濯をしなければならない上、それによりスリッパ本体が劣化してしまい、スリッパを包んで装着する方法のモップ素材や不織布素材によるカバーなどは、スリッパのデザインを隠してしまう上、洗濯の必要が生じることもある。
【先行技術文献】
【特許文献】
【０００６】
【特許文献１】実登３１３７３９２号公報
【発明の概要】
【発明が解決しようとする課題】
【０００７】  解決しようとする問題点は、室内で使用するスリッパ底部が室内床面に接することですぐ汚れてしまう点であり、使い捨て不織布清掃ドライシートを装着して汚れにくくし、なおかつ室内床面の掃除ができるスリッパを提供することを課題とする。
【課題を解決するための手段】
【０００８】  本発明は、室内床面に接するスリッパ底部の汚れを軽減させ、室内床面の掃除をするための使い捨て不織布ドライシートをスリッパ底部に挟み込み保持させることを最も主要な特徴とする。
【発明の効果】
【０００９】  本発明の使い捨て不織布清掃ドライシート装着スリッパは、スリッパ本体の外観やデザインを損ねることなく、そのスリッパ底部の汚れを軽減でき、なおかつ床の汚れを取るという利点がある。
【図面の簡単な説明】
【００１０】
【図１】  本発明による使い捨て不織布清掃ドライシートを底部に装着するスリッパの１実施例を示す側面図である。
【図２】  （ａ）図１Ａ−Ａにおける切断面。（ｂ）図１Ｂ−Ｂにおける切断面。
【図３】  本発明による図１におけるスリッパに、使い捨て不織布清掃ドライシートを装着する斜視図である。
【図４】  本発明による図１におけるスリッパに装着する、使い捨て不織布清掃ドライシートの該略的平面図である。
【発明を実施するための形態】
【００１１】  スリッパ底部に、使い捨て不織布清掃ドライシートをスリッパの外観やデザインを損ねることなく装着すること、またスリッパ使用者がスリッパ着用時に、使い捨て不織布清掃ドライシートを踏んで転倒したり躓いたりすることを防ぐため、使い捨て不織布清掃ドライシートがスリッパ底部外周の内側に保持される構造を実現した。
【実施例１】
【００１２】  図１は、本発明のスリッパの１実施例の側面図であって、１はスリッパ底部に同一形状に型抜きされた第１部材で、２はスリッパ底部の外周から内側に５．５ｍｍ〜６．５ｍｍの幅で切り取り縮小させた第２部材である。前記第１部材と前記第２部材は摩擦力の強い素材を使用し、使い捨て不織布清掃ドライシートをその間に挟持させた上、スリッパ着用者の体の重みで第１部材と第２部材を圧着させて保持させる構造である。【００１３】  前記第２部材がスリッパ底面より縮小されているので、使い捨て不織布清掃ドライシートがスリッパ底面からはみ出しにくく、スリッパ着用時に使い捨て不織布清掃ドライシートを踏んで転倒する等の不測の事態を防ぐことができる。【００１４】  第１部材と第２部材には、１実施例において、摩擦力が強く縫製も容易い安価なパンチカーペット等が使われることが望ましく、また第１部材の厚さは２．３ｍｍ〜２．６ｍｍ、第２部材の厚さは５．５ｍｍ〜６．５ｍｍが望ましいが、これらは本発明の範囲を限定するものではなく、使用される材料の特性によって最適と思われる厚さを採用することが望ましい。【００１５】  第２部材の外周において、第１部材とスリッパ本体を結合する箇所は、第２部材が捲れたりずれたりしないよう、爪先部分と踵部分には必ず設置しなければならない。またその間隔は７ｃｍ以上１３ｃｍ以下とし、第２部材外周に配置されるが、結合箇所の場所、その数はスリッパの大きさやデザインにより変動するものである。【００１６】  本発明の使い捨て不織布清掃ドライシートを装着するスリッパは、従来のスリッパの製造工程において底板を第１部材に替え、第２部材を結合するだけの簡便な方法で製造できる。また、第１部材、第２部材の素材と考えられるパンチカーペット等は低価格であり製造コストを著しく上げるものではない。【００１７】  スリッパの製造方法には、外縫いタイプ、吊り込みタイプ、ソフトタイプ等があるが、どのタイプの製造方法においても、従来の底部部材を本発明における第１部材と第２部材に替えることで実施できる。【００１８】  図４は本発明のスリッパに装着する、使い捨て不織布清掃ドライシートの１実施例である。スリッパ底部より外側に３．５ｃｍ〜４．５ｃｍ大きく形成され、その外周から第２部材の結合箇所に対応する位置に向けて、その位置の５．５ｍｍ〜６．５ｍｍ外側まで切り込みを入れる。使い捨て不織布清掃ドライシートの厚さとしては０．３５ｍｍ〜０．４５ｍｍの範囲が好ましいが、その範囲を限定するものではない。
【符号の説明】
【００１９】１  第１部材
２  第２部材
３ａ、３ｂ、３ｃ、３ｄ  結合箇所
４ａ、４ｂ、４ｃ  使い捨て不織布清掃ドライシートの周縁部差し入れ口
５  使い捨て不織布清掃ドライシート
６  第１部材の大きさ
７  第２部材の大きさ
８ａ、８ｂ、８ｃ、８ｄ、８ｅ、８ｆ  第２部材結合箇所に対応する位置
【図１】
2018122068.tif 000003
【図２】
2018122068.tif 000004
【図３】
2018122068.tif 000005
【図４】
2018122068.tif 000006
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
室内床面で着用されるスリッパであって、
前記スリッパ底部に設けた第１部材と、
前記第１部材の下部に配置した第２部材と、
シートと、
を順次重ねて載置し、
前記第１部材と前記第２部材とが対応する各周縁部を結合すると共に、
前記シートは前記第１部材と前記第２部材との間で挟持したことを特徴とするシートを装着したスリッパ。
【請求項２】
前記第１部材と前記第２部材との結合は少なくとも爪先部と踵部とを縫い留めしたことを特徴とした請求項１記載のシートを装着したスリッパ。
【請求項３】
前記結合は、縫い留め、または接着剤、留め具等を用いて留めることを特徴とした請求項１〜２記載のシートを装着したスリッパ。
【請求項４】
前記シートは前記スリッパに着脱自在に取り付けられていることを特徴とした請求項１〜３記載のシートを装着したスリッパ。
【請求項５】
前記シートは前記第２部材の底面から前記第２部材を包み込むように巻き付け、前記第２部材と前記第１部材との間に外側から内側方向に前記シート周縁部を差し込み狭持することを特徴とする請求項１〜４記載のシートを装着したスリッパ。
【請求項６】
前記シートは周縁部に複数の切り欠いて成る差し込み部を備え、前記差し込み部は前記第１部材と前記第２部材とで挟持することを特徴とする請求項１〜５記載のシートを装着したスリッパ。
【手続補正２】
【補正対象書類名】明細書
【補正対象項目名】全文
【補正方法】変更
【補正の内容】
【発明の詳細な説明】
【技術分野】
【０００１】  本発明は、スリッパの底部に、シートを装着することで、汚れやすい該底部の汚れを軽減し、さらに床面の清掃を行うスリッパに関するものである。
【背景技術】
【０００２】  従来の室内で着用されるスリッパは、甲・中敷き・ヒール・底等の部品を縫製・貼り付け等の手段によって製造されたもので、直接室内床に接する底部素材にはビニール、布、フェルト等が使用される。【０００３】  床の汚れを取る掃除スリッパとしては、スリッパ底部にモップ状素材を使用した物が知られており、スリッパカバーとしてはモップ素材や不織布素材でスリッパを包んで装着する方法が知られている。【０００４】  しかし、室内床面に直接接するスリッパ底部は、床の埃や髪の毛ですぐ汚れてしまうという欠点があった。【０００５】  掃除スリッパは汚れる度に洗濯をしなければならない上、それによりスリッパ本体が劣化してしまい、スリッパを包んで装着する方法のモップ素材や不織布素材によるカバーなどは、スリッパのデザインを損なってしまうだけでなく、洗濯の必要性が生じる。
【先行技術文献】
【特許文献】
【０００６】
【特許文献１】実登３１３７３９２号公報
【発明の概要】
【発明が解決しようとする課題】
【０００７】  解決しようとする問題点は、室内で使用するスリッパ底部が室内床面に接することですぐ汚れてしまう点であり、シートを装着してスリッパ底部を汚れにくくし、なおかつ室内床面の掃除ができるスリッパを提供することにある。
【課題を解決するための手段】
【０００８】本発明は、室内床面で着用されるスリッパにおいて、スリッパ底部に第１部材と第１部材の下部に第２部材を配置したことを特徴とし、第２部材は少なくとも爪先部と踵部でスリッパ底部に縫い留め等の方法で結合し、スリッパ底部に差し込み口を形成し、第２部材下部に重ねたシートを、第２部材に巻き付けるようにして、シート周辺部を第１部材と第２部材との間に外側から内側方向に差し込み、シートをスリッパ底部に挟持させることを特徴とするシートを装着したスリッパである。
【発明の効果】
【０００９】本発明のシートを装着したスリッパは、底部に設けられた第１部材と第２部材をその周縁部において、爪先部と踵部を含む箇所で縫い留め等の方法で結合されていることでスリッパ底部がスリッパ全体と一体となる利点がある。
シートは第２部材の下部から第２部材を巻き込むように、シートの周縁部を第１部材と第２部材の間に差し込まれているだけなので、簡単に汚れたシートを取り外せ、新しいシートを装着できるという利点がある。
装着するシートは、第２部材を第１部材より小さく成型し、シートに切り込みを入れ、第２部材に巻き付けながらシートの周縁部を第１部材と第２部材の間に差し込み装着することで、第１部材からはみ出さず、スリッパの外観やデザインを損なうことなく装着でき、スリッパ底部の汚れを軽減し、なおかつ床の汚れを取るという利点がある。
【図面の簡単な説明】
【００１０】
【図１】  本発明によるシートを装着したスリッパの１実施例を示す側面図である。
【図２】  （ａ）図１Ａ−Ａにおける切断面。（ｂ）図１Ｂ−Ｂにおける切断面。
【図３】  本発明による図１におけるスリッパに、シートを装着する斜視図である。
【図４】  本発明による図１におけるスリッパに装着する、シートの概略的平面図である。
【発明を実施するための形態】
【００１１】  スリッパ底部に、シートをスリッパの外観やデザインを損ねることなく装着すること、またスリッパ使用者がスリッパ着用時に、シートを踏んで転倒したり躓いたりすることを防ぐため、シートがスリッパ底部外周の内側に保持される構造を実現した。
【実施例１】
【００１２】  図１は、本発明のスリッパの１実施例の側面図であって、１はスリッパ底部に同一形状に型抜きされた第１部材で、２はスリッパ底部の外周から内側に５．５ｍｍ〜６．５ｍｍの幅で切り取り縮小させた第２部材である。前記第１部材１と前記第２部材２は摩擦力の強い素材を使用し、シート５を第１部材１と第２部材２の間に挟持させた上、スリッパ着用者の体の重みで第１部材１と第２部材２を圧着させて保持させる構造である。【００１３】  前記第２部材２がスリッパ底面より縮小されているので、シート５がスリッパ底面からはみ出しにくく、スリッパ着用時にシート５を踏んでスリッパ使用者が転倒する等の不測の事態を防ぐことができる。【００１４】  第１部材１と第２部材２には、実施例１において、摩擦力が強く縫製も容易い安価なパンチカーペット等が使われることが望ましく、また第１部材１の厚さは２．３ｍｍ〜２．６ｍｍ、第２部材２の厚さは５．５ｍｍ〜６．５ｍｍが望ましいが、これらは本発明の範囲を限定するものではなく、使用される材料の特性によって適宜採用することが望ましい。【００１５】第１部材１より小さく成型されている第２部材２の周縁部において、爪先部と踵部を含む箇所において、第２部材２を第１部材１とスリッパ底部に縫い留め等の方法で、ずれずにスリッパ底部に一体となるように結合された本発明のスリッパを、シート５の外周から第２部材２の結合箇所に対応する位置に向けて切り込みを入れたシート５の上に図３のように乗せ、シート５の周縁部を第２部材２と第１部材１との間にできた差し入れ口に差し込んでシート５を装着する。
第２部材２と第１部材１とスリッパ底部の結合箇所は第２部材２の周縁部において７ｃｍ以上１３ｃｍ以下の間隔で配置されるが、結合箇所の場所、数はスリッパの大きさやデザインにより変化する。【００１６】  本発明のシートを装着したスリッパは、従来のスリッパの製造工程において、底素材を第１部材１に換え、第２部材２を結合するだけの簡便な方法で製造できる。また、第１部材１、第２部材２の素材と考えられるパンチカーペット等は低価格であり製造コストを著しく上げるものではない。【００１７】  スリッパの製造方法には、外縫いタイプ、吊り込みタイプ、ソフトタイプ等があるが、どのタイプの製造方法においても、従来の底部部材を本発明における第１部材と第２部材に換えることで実施できる。【００１８】  図４は本発明のスリッパに装着する、実施例１におけるシート５の１実施例である。シート５はスリッパ底部より外側に３．５ｃｍ〜４．５ｃｍ大きく形成し、その外周から第２部材２の結合場所に対応する位置に向けて、その位置の５．５ｍｍ〜６．５ｍｍ外側まで切り込みを入れる。
シート５は第２部材２の下部に重ねるように配置し、第２部材２を包み込むようにして、シート５の周縁部を第１部材１と第２部材２との間、図１の４ａ、４ｂ、４ｃに差し込んで、スリッパ底部に挟持する。
シートには、摩擦力があり床の汚れを取りやすい、厚さ０．３５ｍｍ〜０．４５ｍｍの使い捨て不織布掃除シート等が採用されることが望ましいが、これらは本発明におけるシートの形状や性質を限定するものではなく、使用される材料の特性によって適宜採用することが望ましい。
【符号の説明】
【００１９】１  第１部材
２  第２部材
３ａ、３ｂ、３ｃ、３ｄ  結合箇所
４ａ、４ｂ、４ｃ  シートの周縁部差し入れ口
５  シート
６  第１部材の大きさ
７  第２部材の大きさ
８ａ、８ｂ、８ｃ、８ｄ、８ｅ、８ｆ    第２部材結合箇所に対応する位置